(57)【要約】【課題】ゴミの容積を圧縮し、収容量の拡大を図ることのできるゴミ箱を提供すること。【解決手段】ゴミを収納する収納容器１１と、該収納容器１１の上端開口部に開閉自在に軸支された蓋体１２と、該蓋体１２を開閉動作させる開閉機構１３とを備え、前記蓋体１２に取付けられた押圧錘１６によって、蓋体を閉成する際に前記収納容器内のゴミを圧縮するので、ゴミの容積を圧縮し、収容量を２．５〜３倍に拡大することができる。【選択図】　図２
2004123322.tif 000002
【特許請求の範囲】
【請求項１】
ゴミを収納する収納容器と、
該収納容器の上端開口部に開閉自在に軸支された蓋体と、
該蓋体を開閉動作させる開閉機構とを備え、
前記蓋体に取付けられた押圧錘によって、蓋体を閉成する際に前記収納容器内のゴミを圧縮することを特徴とするゴミ箱。
【請求項２】
前記開閉機構は、足踏みぺダルとリンク機構と減衰ダンパーとから構成されたことを特徴とする請求項１に記載のゴミ箱。
【請求項３】
前記収納容器の開口部近傍に、ゴミ袋を支持する支持機構が設けられたことを特徴とする請求項１または２に記載のゴミ箱。
【発明の詳細な説明】
【０００１】
【発明の属する技術分野】
この発明は、ペーパータオルやテッシュペーパー等の嵩張った状態で捨てられるゴミの容積を縮小して収容することのできるゴミ箱に関するものである。
【０００２】
【従来の技術】
従来のトイレ、洗面所等に設置されるゴミ箱は、単に使用済みのペーパータオルやテッシュペーパー等が手を拭いて丸められ、容積の増大した状態で投棄されるものである。したがって、すぐにゴミ箱が一杯になり清掃員が頻繁にゴミ袋を交換しなければならなかった。また、一杯になった場合、清掃員が来ない時は手で押し込む必要があり、衛生的でなかった。
また、これを解消するものとして、嵩張るゴミを押し潰して容積を小さくして処理するものが提案されている（例えば、特許文献１参照。）。
【０００３】
【特許文献１】
特開平１１−１８０５０３号公報
【０００４】
【発明が解決しようとする課題】
しかし、上記従来の嵩張るゴミの容積を小さくして処理するゴミ箱において、ゴミを押し潰し又は拡散して容器内に落下させるゴミ減容機構、昇降機構部、回転体等の各種機構を備えた複雑ものであり、装置が大掛かりになると云う欠点が存在した。また、製造コストも嵩むものであった。
【０００５】
この発明は上記実情に鑑み提案されたもので、簡易な構造で嵩張るゴミを減容し、多量のゴミを収容することのできるゴミ箱を提供することを目的とする。
【０００６】
【課題を解決するための手段】
上記目的を達成するために、請求項１に記載の発明は、ゴミを収納する収納容器と、該収納容器の上端開口部に開閉自在に軸支された蓋体と、該蓋体を開閉動作させる開閉機構とを備え、前記蓋体に取付けられた押圧錘によって、蓋体を閉成する際に前記収納容器内のゴミを圧縮することを特徴としている。
【０００７】
また、請求項２に記載の発明は、前記開閉機構は、足踏みぺダルとリンク機構と減衰ダンパーとから構成されたことを特徴とする。
【０００８】
また、請求項３に記載の発明は請求項１または２に記載の構成に限定を加えて、前記収納容器の開口部近傍に、ゴミ袋を支持する支持機構が設けられたことを特徴としている。
【０００９】
【発明の実施の形態】
以下、一実施の形態を示す図面に基づいて本発明を詳細に説明する。図１は本発明に係るゴミ箱の閉蓋状態を示す斜視図、図２は本願発明のゴミ箱の開蓋状態を示す斜視図である。ここで、ゴミ箱１０は、ゴミを収納する収納容器１１と、この収納容器１１の上端開口部１１ａに開閉自在に軸支された蓋体１２と、この蓋体１２を開閉動作させる開閉機構１３とを備えている。
【００１０】
収納容器１１は、上端開口部１１ａを有する筒状をしており、底部に設けた脚板１４によって自立可能に形成されている。脚板１４は、前後に突出して形成されている。これは、蓋体１２の開閉操作を円滑にする為である。また、左右方向にも少量突出している。これは、壁面等に蓋体１２の側面が当接して開閉動作に支障を生じないようにするためである。本実施の形態において、収納容器１１は角筒状に形成されているが、これに限ることなく円形、楕円形等他の矩形であってもよい。
【００１１】
蓋体１２は、収納容器１１の一端にヒンジ１５で開閉可能に支持されている。ヒンジ１５は、収納容器１１の背面側に突出して形成されており、本実施の形態では、左右の２箇所に設けられている。また、蓋体１２の下面には、押圧錘１６が突出して形成されている。押圧錘１６は、収納容器１１の上端開口部１１ａに挿通され、収納容器１１内に投棄されたゴミを押し潰すのに十分な重さを有している。本実施の形態において、押圧錘１６の下面はヒンジ１５から遠い回動端が厚く、ヒンジに近い部分が薄くなるように傾斜している。この傾斜面は、蓋体１２が閉動する際に押圧錘１６の下面からゴミ屑が前方にこぼれ落ちるのを阻止すると共に、ゴミ袋を収納容器１１にセットする操作を容易にすることができる。
【００１２】
更に、収納容器１１の上端の開口部の外周近傍に、ゴミ袋を支持する支持機構であるフック１７が設けられている。フック１７は、収納容器１１の外周にスポット溶接等で取付けられており、収納容器１１の内部に入れるゴミ袋の上端を引っ掛けることができる。ゴミ袋の上端を保持することによって、蓋体１２を閉じる際に内部のゴミを圧縮してもゴミ袋がずり落ちることがない。なお、支持機構としては、マグネット、面ファスナー等の貼着手段でゴミ袋の上端を保持してもよい。
【００１３】
また、収納容器１１と開閉機構１３の境界の上端に溝１３ａが形成されている。この溝１３ａは、ほぼフック１７の取付けられた位置までの深さを有している。したがって、収納容器１１内に入れたゴミ袋の上端を開閉機構１３の設けられた側でも折り返すことができ、確実にゴミ袋を保持できる。
【００１４】
開閉機構１３は、本実施の形態では収納容器１１の側面に配置されており、図８に示すように足踏みぺダル１８とリンク機構１９と減衰ダンパー２０とから構成されている。足踏みぺダル１８は、軸２１を中心に回動可能に支承されており、下方にストッパ２２が設けられている。リンク機構１９は、足踏みペダル１８の一部に連結された第１のアーム２３と、第１のアーム２３と連結された第２のアーム２４と、第２のアーム２４と連結された第３のアーム２５とから構成されている。第２のアーム２４の中間部は、支点２６に回動自在に支持されている。また、第３のアーム２５は、蓋体１２の一部に回動自在に連結されている。更に、第２のアーム２４と第３のアーム２５の連結部には、減衰ダンパー２０の一端が連結されている。減衰ダンパー２０の他端は、装置本体の一部に回動自在に支持されている。
【００１５】
以上のように構成された開閉機構１３は、足踏みぺダル１８を足で踏むことにより、リンク機構１９を介して蓋体１２を開成することができる。この際、減衰ダンパー２０は、伸張されている。また、足踏みぺダル１８から足を離すと、蓋体１２は、自重で閉じようとする。しかし、第２のアーム２４と第３のアーム２５との連結部に減衰ダンパー２０が連結されているので、蓋体１２は減衰されて静かに閉成する。
【００１６】
次に、以上のように構成されたゴミ箱の使用状態について説明する。先ず、手を拭く等して丸められて嵩の増したゴミが、収納容器１１内にセットされたゴミ袋の中に投棄されて行き、収納容器１１の上端近傍まで達すると蓋体１２が閉成する際に上端が当接するようになる。内部に収納された嵩張るゴミの量が更に増すと、蓋体１２の自重で圧縮される。この様にして、手を拭く等して丸められて嵩の増したゴミを、順次蓋体１２の開閉の都度圧縮することで、従来の２．５から３倍収納することができる。
【００１７】
図９は、本願発明のゴミ箱の他の実施例を示す全体斜視図である。本実施の形態において、ゴミ箱３０は、ゴミを収納する収納容器３１と、この収納容器３１の上端開口部３１ａに開閉自在にヒンジ３３で軸支された蓋体３２とを備えている。
【００１８】
収納容器３１は、上端開口部３１ａを有する筒状をしており、底部に設けた脚板３４によって自立可能に形成されている。前記実施例と同様に脚板３４は、前後に突出して形成されている。これは、蓋体３２の開閉操作を円滑にする為である。また、左右方向にも少量突出している。これは、壁面等に蓋体３２の側面が当接して開閉動作に支障を生じないようにするためである。
【００１９】
ヒンジ３３は、収納容器３１の背面側に突出して形成されており、本実施の形態では、左右の２箇所に設けられている。また、蓋体３２の前面には、開閉操作をするための取手３６が延設されている。
【００２０】
また、蓋体３２の下面には、押圧錘３５が突出して形成されている。押圧錘３５は、収納容器３１の上端開口部３１ａに挿通され、収納容器３１内に投棄されたゴミを押し潰すのに十分な重さを有している。本実施の形態において、押圧錘３５の下面はヒンジ３３から遠い回動端が厚く、ヒンジに近い部分が薄くなるように傾斜している。この傾斜面は、蓋体３２が閉動する際に押圧錘３５の下面からゴミ屑が前方にこぼれ落ちるのを阻止すると共に、ゴミ袋を収納容器３１にセットする操作を容易にすることができる。
【００２１】
以上のように構成した場合、手でもって蓋体３２を開閉することができるので、簡易な構造であると共に静かに開閉することができる。また、簡易な構造であるので故障することもない。
【００２２】
なお、以上の実施例では、開閉機構１３を足踏みぺダル１８とリンク機構１９と減衰ダンパー２０とから構成された例について説明したが、これに限ることなく、足踏みぺダルと歯車機構と減衰バネとから構成してもよい。また、足踏み式のスイッチと駆動モータとから構成してもよい。
【００２３】
【発明の効果】
この発明は上記した構成からなるので、以下に説明するような効果を奏することができる。
【００２４】
請求項１に記載の発明では、ゴミを収納する収納容器と、該収納容器の上端開口部に開閉自在に軸支された蓋体と、該蓋体を開閉動作させる開閉機構とを備え、前記蓋体に取付けられた押圧錘によって、蓋体を閉成する際に前記収納容器内のゴミを圧縮するので、嵩張るペーパータオルやテッシュペーパー等のゴミが蓋体を開閉する都度、圧し潰される。したがって、従来の２．５〜３倍の量のゴミを収納することができ、清掃作業員がゴミ袋を交換する回数を削減できる。
【００２５】
また、請求項２に記載の発明によれば、前記開閉機構は、足踏みぺダルとリンク機構と減衰ダンパーとから構成されたので、ゴミを投棄する際に蓋体を手で開閉する必要がなく、衛生的である。また、ダンパーにより押圧錘を有した蓋体の閉成動作が緩和されるので、蓋体の開閉を静粛に行うことができる。
【００２６】
また、請求項３に記載の発明によれば、前記収納容器の開口部近傍に、ゴミ袋を支持する支持機構が設けられたので、収納容器内にゴミ袋をセットする場合にゴミ袋の装着を極めて容易に行うことができる。また、蓋体が内部に収納されたゴミを圧縮する際にもゴミ袋がずり落ちる虞がない。更に、満タンとなったゴミ袋を廃棄する際にも容易に取り外すことができる。
【図面の簡単な説明】
【図１】図１は、本発明に係るゴミ箱の閉蓋状態を示す斜視図である。
【図２】図２は、同ゴミ箱の開蓋状態を示す斜視図である。
【図３】図３は、同ゴミ箱の開蓋状態を示す正面図である。
【図４】図４は、同ゴミ箱の背面図である。
【図５】図５は、同ゴミ箱の側面図である。
【図６】図６は、同ゴミ箱の平面図である。
【図７】図７は、同ゴミ箱の蓋体を示す側面図である。
【図８】図８は、同ゴミ箱の開閉機構を示す要部縦断面図である。
【図９】図９は、同ゴミ箱の他の実施例を示す全体斜視図である。
【符号の説明】
１０、３０　ゴミ箱
１１、３１　収納容器
１２、３２　蓋体
１３　　　開閉機構
１４、３４　脚板
１５、３３　ヒンジ
１６、３５　押圧錘
１７　　　フック
１８　　　足踏みぺダル
１９　　　リンク機構
２０　　　減衰ダンパー
２１　　　軸
２２　　　ストッパ
２３　　　第１のアーム
２４　　　第２のアーム
２５　　　第３のアーム
２６　　　支点
３６　　　取手
【図１】
2004123322.tif 000003
【図２】
2004123322.tif 000004
【図３】
2004123322.tif 000005
【図４】
2004123322.tif 000006
【図５】
2004123322.tif 000007
【図６】
2004123322.tif 000008
【図７】
2004123322.tif 000009
【図８】
2004123322.tif 000010
【図９】
2004123322.tif 000011